(57)【要約】【課題】落下防止用のリング付きパーツとしても使用することができる、２ＷＡＹタイプのネックストラップを提供する。【解決手段】首に掛けて使用するネックストラップ１１であって、紐状材料からなる首掛け紐１２と、首掛け紐に設けられる連結部材１３と、連結部材に着脱自在に係止するリング１４と、リングに垂下する細紐１５とからなり、連結部材は、板材からなる基板１７と、基板の裏面部１７ａに設けられる係止部１８とを有し、係止部は、裏面部に沿って対向する中央係止片２０と、中央係止片の基部２１から二股状に分岐する一対の側部係止片２２とが一体に形成され、中央係止片は、裏面部に沿って弾性を有すると共に、先端部の内側に、リングを係止するときに抗する中央突部を有し、一対の側部係止片は、それぞれ対向する方向に沿って弾性を有すると共に、先端部に、リングを係止するときに抗する外側突部２４を有する。【選択図】図３
0003188439.tif 000002
【実用新案登録請求の範囲】
【請求項１】
首に掛けて使用するネックストラップであって、
紐状材料からなる首掛け紐と、該首掛け紐に設けられる連結部材と、該連結部材に着脱自在に係止するリングと、該リングに垂下する細紐とからなり、
前記連結部材は、板材からなる基板と、該基板の裏面部に設けられる係止部とを有し、
該係止部は、前記裏面部に沿って対向する中央係止片と、該中央係止片の基部から二股状に分岐する一対の側部係止片とが一体に形成され、
前記中央係止片は、前記裏面部に沿って弾性を有すると共に、先端部の内側に、前記リングを係止するときに抗する中央突部を有し、
前記一対の側部係止片は、それぞれ対向する方向に沿って弾性を有すると共に、先端部に、前記リングを係止するときに抗する外側突部を有すること
を特徴とするネックストラップ。
【請求項２】
前記連結部材の前記係止部に前記リングを係止したときには、前記中央係止片の内側が前記リングに当接する構成であること
を特徴とする請求項１に記載のネックストラップ。
【請求項３】
前記連結部材の前記係止部に前記リングを係止したときには、前記外側突部が前記リングの内側を押圧した状態で当接する構成であること
を特徴とする請求項１に記載のネックストラップ。
【考案の詳細な説明】
【技術分野】
【０００１】
本考案は、スマートフォンや携帯電話用のネックストラップに関するものであり、更に詳しくは、首に掛るだけでなく、落下防止用のリング付きパーツとしても使用することができる、２ＷＡＹタイプのネックストラップに関するものである。
【背景技術】
【０００２】
従来、携帯電話用のネックストラップとしては、次のような構成のものが知られている。このネックストラップは、首掛け用バンドと、首掛け用バンドに設けられる雄型ジョイントと、雄型ジョイントと着脱自在に嵌合する雌型ジョイントと、雌型ジョイントの端部に接続バンドを介して設けられる細紐とからなり、この細紐を携帯電話の連結孔に連結して使用する。
【０００３】
また、首掛け用バンドには、長手方向に沿って携帯電話のイヤホン及びマイクのコードを挿通するためのコード保持部が形成されている（特許文献１参照）。
【０００４】
このような構成の携帯電話用のネックストラップは、首に掛けて使用する他に、雌型ジョイントを雄型ジョイントから離脱させて、首掛け用バンドとは別にして使用することが可能である。
【先行技術文献】
【特許文献】
【０００５】
【特許文献１】実用新案登録第３０７０４１３号公報
【考案の概要】
【考案が解決しようとする課題】
【０００６】
この従来例の携帯電話用のネックストラップにおいては、携帯電話を首掛け用バンドとは別にして使用することができるが、その場合は、雌型ジョイントや接続バンドは手や指を差し入れたり巻き付けたりできないので、携帯電話の把持状態が不安定になるという欠点を有している。
【０００７】
従って、従来例における携帯電話用のネックストラップにおいては、携帯電話を首掛け用バンドと別にして使用する場合でも、携帯電話をシッカリ把持できる仕組みを付加することに解決しなければならない課題を有している。
【課題を解決するための手段】
【０００８】
前記従来例の課題を解決するための本考案の要旨は、首に掛けて使用するネックストラップであって、紐状材料からなる首掛け紐と、該首掛け紐に設けられる連結部材と、該連結部材に着脱自在に係止するリングと、該リングに垂下する細紐とからなり、前記連結部材は、板材からなる基板と、該基板の裏面部に設けられる係止部とを有し、該係止部は、前記裏面部に沿って対向する中央係止片と、該中央係止片の基部から二股状に分岐する一対の側部係止片とが一体に形成され、前記中央係止片は、前記裏面部に沿って弾性を有すると共に、先端部の内側に、前記リングを係止するときに抗する中央突部を有し、前記一対の側部係止片は、それぞれ対向する方向に沿って弾性を有すると共に、先端部に、前記リングを係止するときに抗する外側突部を有することである。
【０００９】
また、前記連結部材の前記係止部に前記リングを係止したときには、前記中央係止片の内側が前記リングに当接する構成であること、；
前記連結部材の前記係止部に前記リングを係止したときには、前記外側突部が前記リングの内側を押圧した状態で当接する構成であること、；
を含むものである。
【考案の効果】
【００１０】
本考案に係るネックストラップによれば、首に掛るだけでなく、リングを連結部材の係止部から取り外し、首掛け紐とは別にして使用することができる。この場合、リングに指を差し入れれば、携帯電話等を安定した状態でシッカリと保持できるという優れた効果を奏する。
【００１１】
中央係止片は、裏面部に沿って弾性を有すると共に、先端部の内側に、リングを係止するときに抗する中央突部を有し、一対の側部係止片は、それぞれ対向する方向に沿って弾性を有すると共に、先端部に、リングを係止するときに抗する外側突部を有する構成であることによって、リングを中央係止片及び側部係止片に係止するときには、パチンとした取付感をもってシッカリと係止させることができるという優れた効果を奏する。
【００１２】
連結部材の係止部にリングを係止したときには、中央係止片の内側が前記リングに当接する構成であることによって、リングが係止部にシッカリと安定した状態で係止されるという優れた効果を奏する。
【００１３】
連結部材にリングを係止したときには、外側突部がリングの内側を押圧した状態で当接する構成であることによって、リングが係止部にシッカリと安定した状態で係止されるという優れた効果を奏する。
【図面の簡単な説明】
【００１４】
【図１】本考案に係るネックストラップ１１の斜視図である。
【図２】本考案に係るネックストラップ１１の要部の正面図である。
【図３】（イ）連結部材１３の背面図である。（ロ）リング１４の正面図である。
【図４】リング１４を係止した状態の連結部材１３の背面図である。
【図５】図４のＡ−Ａ線断面図である。
【図６】リング１４を係止した状態の連結部材１３の側面図である。
【図７】連結部材１３の側面図である。
【考案を実施するための形態】
【００１５】
次に、本考案の実施の形態について図面を参照しながら説明する。まず、図１から図３において、符号１１はネックストラップを示し、このネックストラップ１１は、首掛け紐１２と、首掛け紐１２に設けられる連結部材１３と、連結部材１３に着脱自在に係止するリング１４と、リング１４に垂下する細紐１５とから構成される。
【００１６】
首掛け紐１２は、紐状材料からなり、所要長さの環状に形成されており、その一部には紐の両端を連結するための連結具１６が固着されている。
【００１７】
連結部材１３は、図３（イ）（ロ）及び図４に示すように、略円形状の板材からなる基板１７と、基板１７の裏面部１７ａに設けられる係止部１８とからなる。基板１７の上部には、図５及び図６に示すように、挿通孔１９が形成されており、この挿通孔１９に首掛け紐１２が移動自在に挿通している。
【００１８】
係止部１８は、図５から図７に示すように、裏面部１７ａに沿って対向した状態に位置する中央係止片２０と、中央係止片２０の基部２１から二股状に分岐する一対の側部係止片２２、２２とが一体に形成されている（図３（イ）及び図４参照）。
【００１９】
中央係止片２０は、裏面部１７ａに沿って弾性を有すると共に、先端部の内側２０ａに、リング１４を係止するときに抗する中央突部２３を有する（図５から図７参照）。
【００２０】
また、中央係止片２０の内側２０ａは、係止部１８にリング１４を係止したときに、当該内側２０ａがリング１４に当接する構成であり、その結果、リング１４が係止部１８にシッカリと安定した状態で係止されることとなる（図５及び図６参照）。
【００２１】
一対の側部係止片２２、２２は、基部２１から先端部に渡って弧状に形成され、それぞれ対向する方向に沿って弾性を有すると共に、先端部に、リング１４を係止するときに抗する外側突部２４を有する（図３（イ）及び図４参照）。
【００２２】
この外側突部２４は、係止部１８にリング１４を係止したときに、当該外側突部２４がリング１４の内側１４ａを押圧した状態で当接する構成であり、その結果、リング１４が係止部１８にシッカリと安定した状態で係止されることとなる（図４参照）。
【００２３】
リング１４は、環状に形成されており、中央係止片２０の内側２０ａから側部係止片２２、２２に沿って係止する所定の大きさに形成されている。
【００２４】
リング１４の取付部２５には、細紐１５が垂下した状態に設けられており、この細紐１５の先端側をスマートフォンや携帯電話の連結孔（図示せず）に連結して使用する。
【００２５】
以上のように構成されるネックストラップ１１は、首に掛るだけでなく、リング１４を係止部１８から取り外し、首掛け紐１２とは別にして使用することができる。この場合、リング１４に指を差し入れれば、携帯電話等を安定した状態でシッカリと保持できることとなる。
【００２６】
また、中央係止片２０は、裏面部１７ａに沿って弾性を有すると共に、先端部の内側２０ａに、リング１４を係止するときに抗する中央突部２３を有し、一対の側部係止片２２、２２は、それぞれ対向する方向に沿って弾性を有すると共に、先端部に、リング１４を係止するときに抗する外側突部２４を有する構成であることによって、リング１４を中央係止片２０及び側部係止片２２、２２に係止するときには、パチンとした取付感をもってシッカリと安定して係止させることができる。
【産業上の利用可能性】
【００２７】
本考案のネックストラップ１１は、主にスマートフォンや携帯電話を取り付けるために発案されたものであるが、それ以外にも、例えば携帯音楽機器、小型カメラ、パスカード、プレスカード、鍵、ポシェット、アクセサリー等の様々な小物品類を取り付けることができることは勿論である。
【符号の説明】
【００２８】
１１  ネックストラップ
１２  首掛け紐
１３  連結部材
１４  リング
１４ａ内側
１５  細紐
１６  連結具
１７  基板
１７ａ裏面部
１８  係止部
１９  挿通孔
２０  中央係止片
２０ａ内側
２１  基部
２２  側部係止片
２３  中央突部
２４  外側突部
２５  取付部
【図１】
0003188439.tif 000003
【図２】
0003188439.tif 000004
【図３】
0003188439.tif 000005
【図４】
0003188439.tif 000006
【図５】
0003188439.tif 000007
【図６】
0003188439.tif 000008
【図７】
0003188439.tif 000009